(57)【特許請求の範囲】
【請求項１】
前方及び背面のカバー並びに背と、
前記カバー間の複数のページと、
タッチパッドを提供するように構成されたｍ×ｎ個の容量的接触要素の第１アレイと、ここで、容量的接触要素の前記第１アレイは、前記前方カバーに取り付けられたシートに印刷された導電性インクから構成されており、これにより、容量的接触要素の前記第１アレイは、前記前方カバーに面しており、
タッチパッドを提供するように構成されたｍ×ｎ個の容量的接触要素の第２アレイと、ここで、容量的接触要素の前記第２アレイは、前記背面カバーに取り付けられたシートに印刷された導電性インクから構成されており、これにより、容量的接触要素の前記第２アレイは、前記背面カバーに面しており、
少なくとも一つの出力装置と、
前記前方カバーに配置され、かつ、容量的接触要素の前記第１アレイに接続され、かつ、前記前方カバーに重なるページ上でのユーザの指の第１ｘ，ｙ位置を、容量的接触要素の前記第１アレイのどれが起動されるかに従って判定するように構成された第１コントローラと、
前記背面カバーに配置され、かつ、容量的接触要素の前記第２アレイに接続され、かつ、前記背面カバーに重なるページ上でのユーザの指の第２ｘ，ｙ位置を、容量的接触要素の前記第２アレイのどれが起動されるかに従って判定するように構成された第２コントローラと、
前記第１及び第２コントローラに接続されたマイクロコントローラと、ここでこのマイクロコントローラは、前記の又は少なくとも一つの前記出力装置に、前記第１ｘ，ｙ位置に応じた第１信号を出力させるように、及び／又は、前記の又は少なくとも一つの前記出力装置に、前記第２ｘ，ｙ位置に応じた第２信号を出力させるように構成されている、
を備える書籍であって、
ここで、データは、バス及び電力ラインを用いて前記背を横断して送られている。
【請求項２】
請求項１に記載の書籍であって、ここで、前記少なくとも一つの出力装置は、スピーカを含む。
【請求項３】
請求項１又は２に記載の書籍であって、ここで、前記少なくとも一つの出力装置は、音声信号を出力するためのインタフェースを含む。
【請求項４】
請求項３に記載の書籍であって、ここで、前記インタフェースは、ブルートウース送信機又はトランシーバである。
【請求項５】
請求項２〜４のいずれか１項に記載の書籍であって、ここで、前記マイクロコントローラは、前記出力装置に音声信号を出力させるように構成されている。
【請求項６】
請求項５に記載の書籍であって、ここで、前記マイクロコントローラは、ユーザの指が所定の位置に留まっていることの判定に応答して、単語、句、又は、非言語音声に対応する第１音声信号を出力するように構成されている。
【請求項７】
請求項６に記載の書籍であって、ここで、前記マイクロコントローラは、所定位置に留まり続けるユーザに対応して、単語、句、又は、非言語音声に対応する前記第１音声信号を繰り返すように構成されている。
【請求項８】
請求項５〜７のいずれか１項に記載の書籍であって、ここで、前記マイクロコントローラは、ユーザの指が経路を辿ることの判定に対応して、文に対応する第２音声信号を出力するように構成されている。
【請求項９】
タッチパッドとして配置された容量的接触要素の第１ｍ×ｎアレイから第１複数信号を第１コントローラが受け取ること、ここで容量的接触要素の前記第１アレイは、書籍の前方カバーに取り付けられたシートに印刷された導電性インクから形成されており、これにより、容量的接触要素の前記第１アレイは、前記前方カバーに面するようになっており、
前記第１コントローラが、書籍のページ上におけるユーザの指の、前記前方カバーに重なるページにおける第１ｘ，ｙ位置を、前記第１複数信号に対応して、判定すること、
第２コントローラが、第２複数信号を、タッチパッドとして配置された容量的接触要素の第２ｍ×ｎアレイから受け取ること、ここで、容量的接触要素の前記第２アレイは、前記書籍の背面カバーに取り付けられたシートに印刷された導電性インクから形成されており、これにより、容量的接触要素の前記第２アレイは、前記背面カバーに面するようになっており、
前記第２コントローラが、前記書籍のページ上におけるユーザの指の、前記背面カバーに重なるページにおける第２ｘ，ｙ位置を、前記第２複数信号に対応して判定すること、
前記第１及び第２コントローラに接続されたマイクロコントローラが、少なくとも一つの出力装置に、判定された前記第１ｘ，ｙ位置に基づく第１信号を出力させること、及び／又は、少なくとも一つの前記出力装置に、前記第２ｘ，ｙ位置に基づく第２信号を出力させること
を備える方法であって、
ここで、データは、バス及び電力ラインを用いて前記書籍の背を横断して送られている。
【請求項１０】
前記ページを特定することを備える、請求項９に記載の方法。
【請求項１１】
請求項９に記載の方法であって、ここで、前記ページを特定することは、信号強度を測定することを備えている。
【請求項１２】
出力装置を備える再生装置により実行されたときに、請求項９〜１１のいずれか１項に記載の方法を実行する、コンピュータプログラム。
【請求項１３】
請求項１２に記載のコンピュータプログラムを格納したコンピュータ可読媒体。
【発明の詳細な説明】
【技術分野】
【０００１】
本発明は、書籍（book）に関するものである。
【背景技術】
【０００２】
電子的印刷書籍（Electronic printed books）、つまり、電子デバイスを備える印刷書籍が知られている。 
【０００３】
WO 94 12963 A公報は、複数の葉（leaves）を備える電子的書籍を記述している。それぞれの葉は、一端において綴じられて背を構成する印刷物のページを備え、それぞれの葉には電子回路が形成されている。共通の電子回路、例えば音声生成器及び／又はコントローラは、書籍の背を通る導電性経路を介して葉の中の電気的回路に接続されて、様々なページのそれぞれの上の電気的回路と協働する。葉の中の電気的回路は、スイッチなどの電気的要素、及び、発光ダイオードなどの検知出力装置を含む。
【０００４】
DE 10 2008 039 859公報は、読むための印刷されたテキストと、書籍において又は離れた場所から起動されうる追加的な視聴覚効果とを有する多機能書籍を記述する。この効果は、書籍カバー又はページ内に配置され、背の中の低エネルギバッテリにより給電されうる。この効果は、発光ダイオード、プロジェクション、音声拡声器、又は匂いディスペンサを含むことができる。
【０００５】
GB 2 453 969 A公報は、書籍の背又はカバーに作り込まれた音声書籍（audio book）を記述する。これにより、ユーザは、書籍の音声バージョンを聞くことができる。
【０００６】
GB 2 462289 A公報は、少なくとも２枚のページを備える書籍を記述しており、各ページは、少なくとも二つのシート部分の積層を備える。この書籍は、基板と、この基板上に配置された導電性トラックとを備えるプリント回路シート（printed circuit sheet）をさらに備える。プリント回路シートは、第１及び第２の部分と、プリント回路シートにおける前記第１の部分から前記第２の部分に走る少なくともある程度の導電性トラックとを有する。プリント回路シートにおける第２の部分は、少なくとも二つの指を備える。それぞれの指は、ユーザ入力及び／又は出力を提供するための少なくとも一つの電子的デバイスを支持しており、そしてここで、それぞれの指は、シート部分の間の対応するページに挿入される。これにより、回路を、書籍に組み込むことができる。
【発明の概要】
【０００７】
本発明は、改良された書籍を提供しようとするものである。
【０００８】
本発明の第１の側面によれば、書籍が提供される。この書籍は、前面及び背面のカバーと、これらのカバー間にある複数のページとを備えている。書籍は、カバー（例えば背面カバー）の内側に配置された容量的接触要素（capacitive touch elements）と、少なくとも一つの出力装置（例えば拡声器）とを含む。書籍は、コントローラも含む。コントローラは、アレイ（array）と出力装置（単数又は複数）とに動作可能なように接続されている。コントローラは、出力装置、あるいは出力装置のうちの少なくとも一つに、カバーに重なるページ上のユーザの指の位置に応じて信号を出力させるように構成されている。この位置は、容量的接触要素により検知される。
【０００９】
これにより、書籍は、スイッチ又はセンサをページに組み込む必要なしで相互作用的になることができる。したがって、ユーザは、単語や絵、例えば動物やオブジェクトに触れることができ、あるいは、彼らの指を文に沿ってあるいは絵を通って動かすことができる。この動作は、容量的接触要素により検出され、出力装置に、単語やノイズ、文や複合ノイズのような対応する信号（例えば音声）を出力させることができる。
【００１０】
用語「書籍」は、小冊子（booklet）、ノート（notebook）、練習帳（exercise book）を含む何らかの書籍状の印刷物を含むことを意図している。ページはカバー間において固定され（あるいは「綴じられ」）ていてもよい。よって、書籍は、典型的には、ペーパーバック（paperback）またはハードカバー（hardback）の書籍である。ページは交換可能（あるいは「ルーズリーフ」）であってもよい。よって、書籍は、リングバインダ（ring binder）又は他の形態のファイルであって、一時的な用紙保持機構を有するものであってもよい。
【００１１】
書籍は、子供の書籍であってもよい。書籍は、画像、例えば線画、有色絵画、及び／又は写真を含むことができる。書籍は、多数の画像と少しの言葉を含むもの、すなわち絵本であってもよい。書籍は、楽譜（musical notation）を含んでいてもよい。
【００１２】
容量的接触要素は、アレイ状に配列されていてもよい。アレイ状の容量的接触要素は、容量的タッチパッド（capacitive touchpad）を提供することができる。
【００１３】
コントローラは、シングル又はダブルタップ、あるいはロングホールド（long hold）のようなジェスチャに依存して、当該のあるいは少なくとも一つの出力装置により信号を出力させるように構成されていてもよい。
【００１４】
書籍は、ページの前側の操作を検知するための、背面カバーの内側に配置された第１セットの容量的接触要素と、ページの背面側の操作を検知するための、前面カバーの内側に配置された第２セットの容量的接触要素とを備えることができる。したがって、ページのいずれかの側に触れることにより、出力装置（あるいは少なくとも一つの出力装置）に、信号を出力させることができる。
【００１５】
前記少なくとも一つの出力装置は、スピーカを含むことができる。スピーカは、圧電スピーカ（piezoelectric speaker）又は他の形態の扁平型スピーカであってもよい。したがって、信号は、発話及び／又は他の形態の音声でありうる。前記少なくとも一つの出力装置は、音声信号を出力するためのインタフェースを含むことができる。このインタフェースは、ブルートウース送信機又はトランシーバ（Bluetooth transmitter or transceiver）のような無線インタフェースであってもよい。したがって、音声あるいは画像は、ヘッドセット、モバイル通信デバイス（例えばスマートフォン）、コンピュータ（例えばタブレットコンピュータ）、テレビジョンセット、あるいはスマートボード（smart board）のような遠隔デバイスに送信されることができる。
【００１６】
コントローラは、出力装置に音声信号を出力させるように構成されていてもよい。コントローラは、所定位置にユーザの指が留まることの判定に対応して、比較的に短い持続時間の第１音声信号を出力させるように構成されていてもよい。第１音声信号は、単語、句、又は文を伝えることができる。第１音声信号は、動物ノイズ（例えば犬の吠え声又は牛のモー音）、オブジェクト（例えば車）のノイズ、あるいは楽器（例えばピアノ）の音のような非言語音声を伝えることができる。コントローラは、ユーザが所定位置に留まり続けることに対応して、比較的短時間の第１音声信号を繰り返すように構成されていてもよい。
【００１７】
コントローラは、ユーザの指が経路を辿ることの判定に対応して、比較的に長い持続時間の第２音声信号を出力するように構成されていてもよい。第２音声信号は文を伝えることができる。
【００１８】
本発明の第２の側面によれば、書籍のページ上におけるユーザの指の位置を示す信号を受信することと、少なくとも一つの出力装置に、カバーに重なるページ上におけるユーザの指の位置に依存する信号を出力させることとを備える方法が提供される。この方法は、例えば信号強度を測定することによって、ページを特定することを備えることができる。この方法は、マイクロコントローラにより実行されることができる。
【００１９】
本発明の第３の側面によれば、コンピュータプログラムが提供され、それは、出力装置を備える再生装置により実行されたときに、再生装置にこの方法を実行させる。
【００２０】
本発明の第４の側面によれば、前記コンピュータプログラムを格納したコンピュータ可読媒体が提供される。
【図面の簡単な説明】
【００２１】
本発明の実施形態が、例示として以下に説明され、ここで、添付の図面が参照される。
【図１】図１は、書籍の斜視図である。
【図２】図２は、図１に示す書籍における背面カバーの斜視図である。
【図３】図３は、図１に示す書籍におけるいくつかのページと背面カバーとを通る断面図である。
【図４】図４は、図１に示す書籍に組み込まれた再生装置及び容量的接触要素についての概略的なブロック図である。
【図４ａ】図４ａは、不揮発性メモリについての概略的なブロック図である。
【図５】図５は、テキストと下にあるアレイ状の容量的接触要素とを備えるページを示す。
【図６】図６は、ユーザがページ上の単語に触れたときにおける、単語の出力を示す。
【図７】図７は、ユーザが彼らの指で文をなぞったときにおける、文の出力を示す。
【図８】図８は、ルックアップテーブルについての概念図である。
【図９】図９は、マイクロコントローラにより実行される手順の流れ図である。
【図１０】図１０は、図１に示す書籍に組み込まれた装置と容量的接触要素とについての概略的なブロック図である。
【実施形態についての詳細な説明】
【００２２】
図１及び２を参照して、印刷された書籍１が示されている。
【００２３】
印刷された書籍１は、ハードカバー（「ハードバック」又は「ハードバウンド」としても知られている）の形態の書籍であり、硬質の前面及び背面のカバー２，３と背４とを有している。書籍１は、カバー２，３の間に綴じられた複数の葉（あるいは「ページ」）５を含んでいる。
【００２４】
特に図２を参照すると、再生装置６（これは「フィードバック装置」あるいは「レンダリング装置」としても参照される）が背面カバー３内に収容されており、音声及び／又は視覚のコンテンツを、圧電スピーカ（piezoelectric speaker）の形態の出力装置７を介して提供するようになっている。この例では、再生装置６は、背面カバー３のみに組み込まれている。しかしながら、再生装置６は、前面カバー２あるいは背４の中に組み入れられてもよく、あるいは、前面カバー２、背面カバー３及び背４のうちの二つか三つの間に配置されてもよい。
【００２５】
カバーあるいは背は、少なくとも３ｍｍの厚さを持ち、３〜５ｍｍの厚さを持ち、あるいは、５ｍｍを超える厚さを持つものでありうる。したがって、カバーは、十分に厚くなっていて、再生装置６を収容することができる。
【００２６】
再生装置の厚さを減らすために、再生装置６に含まれる要素（例えば集積回路）は、通常の印刷回路板あるいは配線板に搭載されなくてもよい。代わりに、要素は、カバーやシートのような書籍の一部の上に導電性接着剤又はインクを用いて印刷されあるいは形成された導電性トラック上に直接に載置されていてもよい。
【００２７】
再生装置６は、背面カバー３の内面上に配置された容量的接触要素９のアレイ８により制御される。容量的接触要素９は、シート１１上に形成される。
【００２８】
アレイ８は、例えばUS6,188,391B1公報あるいはWO2011/023856A1公報に記載されたものに類似のタッチパッドを提供するように構成されてもよい。アレイ８は、例えば(m×n)の要素９のアレイを備えることができ、ここでたとえば、2≦m≦20及び2≦n≦20である。各エレメント９は、20mm2≦A≦400mm2の面積Ａを持つことができる。容量的接触要素９は、矩形状アレイに配置されていなくてもよい。矩形状である要素８が示されている。しかしながら、要素８は、ひし形状であってもよい。
【００２９】
要素９のアレイあるいはタッチパッド配置が使われる必要はない。容量的接触要素９は、非周期的パターンで配置されてもよい。容量的接触要素９は、同じ面積Ａ及び／又は形状を持つ必要はない。容量的接触要素８は、ギャップ（あるいは「非検出領域」）（図示せず）により離間可能である。二つの要素８の間のギャップ（図示せず）は、少なくとも５ｍｍ、少なくとも１０ｍｍ、あるいは少なくとも２０ｍｍの長さを持つ。
【００３０】
容量的接触要素９は、重畳するページ５の面積とほぼ同じ面積を覆うか、あるいはそれにわたって分布されている。したがって、容量的接触要素９は、全ページにわたって、ユーザが接触することを検出できる。一つ又は複数の容量的接触要素９は、ページ５の縁の外側に延び、及び／又は、配置されることができる。これは、汎用（universal）の（つまりページ非依存の）制御パネルを提供するために使用可能である。
【００３１】
再生装置６は、容量的接触要素９、１３（図４）の二つのセット８、１２（図４）により制御されてもよく、ここで、第１セット８は、背面カバー３の内面１０上に配置され、容量的接触要素１３（図４）の第２セット１２（図３）は、前面カバー２の内面１４内に配置される。前面カバー２上の容量的接触要素１３は、前面カバー２上の容量的接触要素１２と同様にして配置及び形成可能である。
【００３２】
容量的接触要素８と接続トラック（図示せず）は、シート上に印刷される銀ベースの導電性インクのような導電性インクを備えていてもよい。適切な導電性インクを米国ニュージャージー州パシパニー（Parsippany, New Jersey, USA）のSun Chemical Corporationから入手可能である。銅ベースの導電性インクや他の何らかの金属ベースの導電性インク、あるいは炭素ベースの導電性インクのような他の形態の導電性インクを使用可能である。要素９及びトラック（図示せず）は、スクリーン印刷、インクジェット印刷、フレキソ印刷（flexography）、あるいはオフセット印刷のような印刷工程を用いて形成されてもよい。
【００３３】
導電性トラック及び要素は、容量的接触要素を再生装置６に接続するために使用可能である。
【００３４】
もし、導電性要素１３（及び／又は再生装置６の少なくとも一部）が前面カバー２内に配置されたなら、前面及び背面のカバー２、３の間において、背４かその後ろ側を通るリボン状の柔軟性印刷回路シート（あるいは「フレックスコネクタ」）（図示せず）を用いて、前面カバー２における容量的接触要素１３（あるいは再生装置６）を再生装置６（の残部）に接続することができる。
【００３５】
図３を参照すると、背面カバー３上にシート１１を伏せて置くことにより、容量的接触要素９を保護することができる。これにより、カバー４中の凹部（図示せず）に組み込まれた再生装置６（図４）への容量的接触要素９の接続を容易にすることもできる。なぜなら、シートの一側から他側に通る接続が必要ではないからである。さらにそれは、容量的接触要素の存在をユーザから隠すことにも役立つ。追加的にあるいは代替的に、紙のシートあるいはカード（図示せず）をシート１１に接着することもできる。同じあるいは類似の構成が、前方カバー２内の容量的接触要素１３のために使用可能である。
【００３６】
導電性シートあるいはメッシュ１５を、背面カバー３の外側１６に提供することができる。導電性シートあるいはメッシュ１５は、カバー３の外側１７に接着されあるいは外側面１７に近いカバー３に組み込まれた紙、カードあるいはプラスチックのシート１６上に印刷された導電性インクのシートあるいは細かいメッシュの形態をとることができる。このような導電性シートあるいはメッシュは、容量的接触要素８の不意の起動を減らすことに役立つ静電シールドを提供する。前方カバー２中で容量的接触要素１３が使用されているかどうかにかかわらず、前方カバー２のために同じ又は類似の構成が使用可能である。背の中に同様の層が包含されていてもよい。
【００３７】
図４を参照すると、再生装置６は、少なくとも一つの出力装置７と、マイクロコントローラ１８と、バッテリ１９とを備えている。バッテリ１９は、２ｍｍ未満の厚さを有する扁平状とされている。例えば、バッテリ１９は、１ｍｍの厚さを有するリチウムポリマー電池（lithium polymer battery）の形態をとることができる。先に説明したように、出力装置７又は少なくとも一つの出力装置７は、スピーカ、特に圧電スピーカ（piezoelectric speaker）の形態をとることができる。他の扁平形態のスピーカを使用可能である。ある実施形態では、例えば、リモートの装置により音声が出力され、あるいは、音声が必要とされないところでは、スピーカは必要ではない。他の出力装置７が提供されてもよい。例えば、ブルートウース（登録商標）送信機又はトランシーバのような無線インタフェースを用いて、信号を遠隔装置に送信することができる。発光ダイオード（単数又は複数）及び／又は視覚ディスプレイが提供されてもよい。
【００３８】
マイクロコントローラ１８は、プロセッサ２０と、メモリ２１と、不揮発性メモリ２２とを含む。不揮発性メモリ２２は、ユーザ入力に対して書籍がどのように応答するかを制御するためのソフトウエア２３と、ユーザ入力を解釈するためのルックアップテーブル（単数又は複数）２４と、例えば音声ファイルのようなコンテンツデータ２５とを格納する。マイクロコントローラ１８は、米国アリゾナ州チャンドラ（Chandler, Arizona, USA）のMicrochip Technology Inc.から入手可能なＰＩＣ（登録商標）マイクロコントローラであってもよい。抵抗やキャパシタなどのいくつかの個別部品は、図示されていない。
【００３９】
要素７、１８、１９は、印刷回路基板（図示せず）の上に搭載されてもよい。ワイヤあるいはフレックスコネクタ板（図示せず）は、印刷回路基板（図示せず）を容量的接触要素９、１３に接続してもよい。しかしながら、先に説明したように、要素７、８、１９は、シート（例えば紙あるいはカード）の上に、あるいは、容量的接触要素９を支持する同じシート１１（図３）の上に直接に搭載されてもよい。着地パッド及び導電性トラックは、導電性インク又はフォイルから形成されていてもよい。導電性接着剤又は導電性テープを使って、要素をパッド及びトラックに搭載してもよい。
【００４０】
再び図２及び３を参照して、書籍５は、紙、カード又は他の繊維ベースの材料、あるいはプラスチックから構成されたＮ枚のページ５を含んでいる。各ページ５は、厚さｔを有している。平らに積み重ねたときは、全部のページ５は、全厚Ｔを有しており、ここでT = N×tである。
【００４１】
ページ５の全厚Ｔは、好ましくは１０ｍｍを越えず、より好ましくは、５ｍｍを越えない。したがって、もしページ５が８０ｇｍ-２の厚さ（約１００μｍの厚さに対応）の紙を有するとすれば、Ｎは、好ましくは１００を越えず、より好ましくは５０を越えない。もしページ５が２４０ｇｍ-２の重さ（３００μｍの厚さに対応）を持つカードを備えるとすれば、Ｎは、好ましくは３３を越えず、より好ましくは１６を越えない。もし、ページが約１ｍｍの厚さを有するボードブック（board book）の場合は、書籍は１０ページ未満を有し、また、５ページ未満を有していてもよい。
【００４２】
ページ５は十分に薄くなっており、ユーザが彼らの指を書籍における全ページ５の積み重ねの上部に置いたときであっても、かつ、それらが背面カバー３の上部に（又は前方カバー２の上部に）平らに横たわっていても、容量的接触要素８（容量的接触要素１２）は、ユーザの指の存在を、ページを通って検知することができる。
【００４３】
容量的接触要素を背面及び／又は前方カバー２、３に配置することによって、そして、再生装置６を書籍１に組み込むことによって、書籍１は、相互作用的になることができる。例えば、ユーザがページに触れると、書籍１は、単語あるいは文を発声することによって、又は音声を生成することによって応答することができる。
【００４４】
図５はテキスト２６が印刷されたページ５を示す。他の表示（indicia）の形態（例えば絵）をページ５上に印刷してもよい。ページ５は、いくつかのページ５の一つである。この例では、ページ５は、１０ページのうちの３番目のページである。したがって、ページ５と背面カバー３との間には、７枚のページが横たわっている。ページ５は、書籍中のどのページであってもよい。この例では、テキスト２６は、文２８を構成する単語２７を含む。しかしながら、完全な文が使用される必要はない。
【００４５】
コントローラ１８は、ユーザがページ５上のどこに触れたかを、どの要素８が動作したかを検知することによって判定する。たとえば、容量的タッチパッド８を使用して、位置 (i, j) 又は (x, y) を判定可能であり、それらは、所定のページ５のためのルックアップテーブル２４の手段によって変換可能であり、単語２７が特定可能である。
【００４６】
コントローラ１８は、どのページ５が接触されているかを、一つ又は複数の方法において判定できる。
【００４７】
各ページ５は、容量的接触要素９に対して特定の位置に配置された導電性のパッド、ストリップ、あるいはパターン２９を載せることができる。導電性のパッド、ストリップ、あるいはパターン２９は、透明であってもよく、あるいは、印刷の下に隠れていてもよく、したがって、ユーザの目には感知できないものであってもよい。
【００４８】
全ページ５が積層されたとき、容量的接触要素９は、導電性領域の集合パターン（aggregate pattern）を介して組み合わされ、パターンを検知できるようになる。上部ページ５がめくられた後（これによりページ５の積層は少なくなって残る）、容量的接触要素９は、他の、異なるパターン（すなわち、上部ページにより提供された、より小さい一領域）を検知する。次のページ５がめくられた後、容量的接触要素９は、さらの他の異なるパターンを検知し、以降同様である。したがって、もしＮページあれば、Ｎ個のパターンを用いて、Ｎページを符号化（encode）することができる。
【００４９】
ページを検知するためのもう一つの方法は、ユーザ入力を含むことができる。ユーザは（ページをめくった後でかつ読み始める前に）、特定の位置に配置されたページ番号３０に触れることができ、ここで、ページ番号「１」は一つの位置に配置され、ベージ「２」は他の位置に配置され、以降同様である。このことは、導電性インクがページ５上に印刷される必要がないという利点を持つ。
【００５０】
ページは、信号強度から推定可能である。例えば、第１ページ５（背面カバー３から最も遠い）に触れることは、最後のページ５（背面カバー３に最も近い）に触れるよりも、背面カバー３において、弱い信号をもたらす。書籍１は、書籍を使う前に違うページに触れるようにユーザに指示してもよく、これにより、信号強度を較正できる。
【００５１】
最後に、異なるページ５上のテキストは、異なる位置に配置されていてもよい。したがって、各単語（あるいは画像）は、容量的接触要素９を用いて一意的に配置可能である。事実上、ページ間での区別はなされていない。
【００５２】
ページ番号を測定又は推定するための他の方法を用いてもよい。
【００５３】
書籍１を使用する例が以降において簡潔に記述される。
【００５４】
図６を参照して、ユーザは、彼らの指３１を用いて、ページ５上の「dog」のような単語２７に触れることができ、そして、コントローラ１８（図４）は、所定の要素あるいは複数の要素９（図４）からの信号の受領に対応して、スピーカ７（図４）に「dog」という単語を出力させる。異なる単語に触れることにより、異なる出力となる。例えば、単語「fox」に触れることは、単語「fox」の出力をもたらす。
【００５５】
書籍１は、発声を出力する必要はなく、非言語的音声を出力可能である。例えば、単語「dog」に触れることにより、犬の吠え声の出力をもたらすことができる。
【００５６】
書籍１は、絵を含んでいてもよく、絵に触れることは、音声の出力をもたらすことができる。例えば、書籍１は、犬の絵を含んでいてもよく、その絵に触れることは、単語「dog」あるいは、犬の吠え声の出力をもたらすことができる。
【００５７】
図７を参照して、ユーザが彼らの指３１を、「The quick brown fox jumps over the lazy dog」のような文２８に沿ってなぞり、そして、容量的接触要素９からの一連の又はセットの信号の受領に対応して、コントローラ１８（図４）は、スピーカ７（図４）に「The quick brown fox jumps over the lazy dog」という文を出力させる。
【００５８】
図８を参照して、ルックアップテーブル２４が示されている。
【００５９】
テーブル２４は、エントリ３２のセットを含む。各エントリ３２は、ベージ５を特定するフィールド３３と、ページの位置を特定するためのフィールド３４、３５と、適切なコンテンツデータ２５（図４ａ）を含むメモリ中のアドレスへのポインタを含むフィールド３６とを含む。
【００６０】
図４〜９を参照して、コントローラ１８の動作が以降において記述される。
【００６１】
コントローラ１８は、容量的接触要素９、１３からの各ライン（図示せず）における電圧を監視する（ステップＳ１）。もしそれが電圧変化を検知すれば、コントローラ１８は、他のライン（図示せず）における電圧も変化しているかどうかを判定するために待ち、これにより、ユーザの指が移動していることを示す（ステップＳ２）。
【００６２】
もし、コントローラ１８が、ユーがの指は静止していると判定したら、それは、ページ及び位置を特定する（ステップＳ３及びＳ４）。ルックアップテーブル２８を用いて、コントローラ１８は、コンテンツデータ２９を検索し、そのデータを出力のための出力装置７に渡す（ステップＳ６）。
【００６３】
再生が完了すると、コントローラ１８は、容量的接触要素９、１３からの各ライン（図示せず）における電圧の監視を再開する（ステップＳ１）。
【００６４】
ユーザの指が動いていることをコントローラ１８が判定すると、それは、位置における継続的な変化をp1, p2,…pk,…, pLのように記録する（ステップＳ７）。
【００６５】
コントローラ１８は、それが位置を依然として記録する一方で、データの処理を始めることができる。コントローラ１８は、ページを特定し（ステップＳ８）、そして、第１位置（つまりp1）から始めて、それは位置を特定する（ステップＳ９及びＳ１０）。ルックアップテーブル２８を用いて、コントローラ１８は、コンテンツデータ２５を検索する（ステップＳ１１）。コントローラ１９は、同じコンテンツデータがすでに読みだされたかどうかをチェックしてもよく、そして、もし同じコンテンツデータが読みだされたならば、コントローラは、出力装置への同じコンテンツデータの出力をスキップしてもよい（ステップＳ１２）。これにより、特に単語が長くて複数の要素にわたって延びているときは、同じ単語が繰り返されることを防ぎやすくなる。もしコンテンツデータが直前に出力されていなければ、コントローラ１８は、コンテンツデータ２５を検索し、そのデータを、出力のために出力装置７に渡す（ステップＳ１３）。
【００６６】
コントローラ１８は、ユーザの経路に関連するすべてのデータが読みだされたかどうかをチェックする、つまり、p = pLかどうかをチェックする（ステップＳ１４）。そうでなければ、コントローラ１８は、次の位置（つまりpk+1）に動き（ステップＳ１５）、そして、位置データの処理と再生のためのコンテンツデータの出力とを続ける（ステップＳ９〜Ｓ１３）。
【００６７】
再生又は文が完了すると、コントローラ１８は、容量的接触要素９、１３からの各ライン（図示せず）における電圧の監視を再開する（ステップＳ１）。
【００６８】
理解されることとして、より洗練された処理を使用してもよく、それにより、より素早くて滑らかな再生を行うことができる。さらに、シングル及びダブルのタップ、ロングホールド及びスワイプのような、より複雑なジェスチャを検知してもよい。
【００６９】
書籍は、同じ方法でいつも応答する必要はない。例えば、GB 2464537 A公報に記載されているように、あるページ上の単語や絵に触れることが、以前のページ上の単語や絵が押されたかどうかに依存してもよい。
【００７０】
先に説明したように、書籍１は、例えばタッチパッドの形態における、容量的接触要素の単一のセットを、前方又は背面カバーのどちらかにおいて含んでもよい。さらに、書籍１は、例えばそれぞれがタッチパッドの形態とされて一方がカバー内で他方が背面カバー内である二組の容量的接触要素を含んでいてもよい。しかしながら、これは、前方及び背面カバー間での、背を跨ぐ接続を要求する。
【００７１】
図１０を参照して、前方及び背面カバー２、３の間での接続を提供する構成が示されている。
【００７２】
容量的接触要素９、１３の各セットは、それぞれのコントローラ集積回路（ＩＣ）３７、３８（ここでは単に「インタフェースコントローラ」又は単に「コントローラ」として参照される）を備える。各コントローラ３７、３８と、関連する周辺要素（図示せず）とは、制御回路を構成する。各制御回路は、容量的接触検出要素９、１３のそれぞのセットのそばに搭載される。各コントローラ３７、３８と関連する周辺要素（図示せず）とは、印刷回路基板（図示せず）上に搭載されてもよい。
【００７３】
背面カバー３内のマイクロコントローラ１８とコントローラ３７とは、バスと電力ライン３９、４０とにより接続されている。コントローラ３７、３８は、バスと電力ライン４１、４２とにより、フレックスコネクタ（flex connector）を用いて、やはり接続されている。シリアル周辺機器インタフェース（SPI）バス又は集積回路間（I2C）バスは、バスシステムとして使用可能である。
【００７４】
この構成は、背４を跨ぐデータ転送についての、一層頑健な方法を提供する。
【００７５】
マイクロコントローラ１８は、アプリケーションソフトウエアを走らせ、そして、音声及び／又は発声とアプリケーションソフトウエアとを有するメモリ２２を含む。マイクロコントローラ１８は、二つのコントローラ３７、３８と通信し、そして、何が接触されたか、及びどこでどのページが接触されているかを監視する。マイクロコントローラ１８は、どこで接触がシングルタップ、ダブルタップ、ロングホールド、又はスワイプを含むかを、書籍が閉じられていても開いていても、判定できる。マイクロコントローラ１８は、マイクロコントローラ１８及びコントローラ３７、３８のインタフェース接続のために、ライブラリあるいはアプリケーションプログラミングインタフェースを持っていてもよい。
【００７６】
理解されることとして、前記した実施形態に対して、多様な変更を施すことができる。
【００７７】
書籍は、フィクション又はノンフィクションの作品であってよい。書籍は、子供用書籍であってよい。書籍は、線画、色彩画、及び／又は写真のような（静的な）画像を含んでいてもよい。書籍は、かなり多くの画像と少しの言葉を含んでいてもよく、つまり、絵本であってもよい。
【００７８】
書籍は、話された言葉を出力する必要はなく、動物の音声、物体（例えば車）や楽器の音声のような非言語的ノイズを出力するものであってもよい。
【００７９】
書籍は、単語を含む必要はない。例えば、書籍は絵を含んでいてもよい。したがって、絵に触れることにより、書籍は、対応する音声を出力してもよい。
【００８０】
前方及び背面カバー内に分離された回路が含まれていてもよい。
【００８１】
再生装置は、装置をオン及びオフにするための物理的スイッチを備えていてもよい。
【００８２】
同じ書籍は再プログラム可能である。例えば、書籍は、異なるルックアップデータ及び／又は異なるコンテンツデータの使用を可能にする交換可能な不揮発性メモリ又はインタフェースを備えていてもよい。したがって、書籍は、初期においては、音声の一セット（例えば動物のノイズ）を出力するようにプログラムされ、それから、音声の他のセット（例えば動物の名前）を出力するように再プログラムされてもよい。
【００８３】
書籍は、テキストの翻訳を出力してもよい。したがって、テキストは、例えば英語のような一言語となっており、コントローラと出力装置とが、そのテキストについての第２の異なる言語例えば中国語への翻訳を出力してもよい。書籍は、ユーザが翻訳言語を選択できるユーザインタフェースを含んでいてもよい。例えば、前方カバー又は第１ページは、複数言語を列挙してもよい。ユーザは言語をタップでき、そして、ユーザの動作は、容量的接触要素により検知され、マイクロコントローラにより解釈される。マイクロコントローラは、選択された言語に基づいて出力を提供してもよい。例えば、各言語のためのルックアップテーブルを提供可能であり、マイクロコントローラは、選択された言語のためのルックアップテーブルを使用可能である。
【００８４】
例えばディスプレイのような出力装置は、カバーから延ばされるシートあるいはページの上に提供されてもよく、例えば、出力装置は、ページの隣に配置されることができる。このような構成を両カバーのために用いることができる。
【図１】
0006402109.tif 000002
【図２】
0006402109.tif 000003
【図３】
0006402109.tif 000004
【図４】
0006402109.tif 000005
【図４ａ】
0006402109.tif 000006
【図５】
0006402109.tif 000007
【図６】
0006402109.tif 000008
【図７】
0006402109.tif 000009
【図８】
0006402109.tif 000010
【図９】
0006402109.tif 000011
【図１０】
0006402109.tif 000012